(57)【要約】【課題】ソケットセンター、コンタクトセンター、ＩＣパッケージ落とし込みセンターを常に一定に維持することができる。【解決手段】装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記コンタクトを保持する格子状の固定板と、前記コンタクトを開閉するために横方向に移動可能な移動板とを有し、前記コンタクトが、一対の弾性接片がほぼ平行に延びるように一端において互いに固着され、前記移動板によって前記弾性接片の一方を押圧して前記コンタクトを開くことができる。【選択図】　　　　図１
2004103431.tif 000002
【特許請求の範囲】
【請求項１】
装着されたＩＣパッケージと電気的接続を形成する複数個の挟み込み形のコンタクトと、該コンタクトが固設されるソケット本体と、前記コンタクトを開閉する移動板とを有するＩＣソケットにおいて、
前記コンタクトを保持する格子状の固定板と、前記コンタクトを開閉するために横方向に移動可能な移動板とを有し、前記コンタクトが、一対の弾性接片がほぼ平行に延びるように一端において互いに固着され、前記移動板によって前記弾性接片の一方を押圧して前記コンタクトを開くことを特徴とするＩＣソケット。
【請求項２】
前記コンタクトは、前記一対の弾性接片の間に前記固定板の格子状の仕切壁が配設されたことを特徴とする請求項１記載のＩＣソケット。
【請求項３】
前記一方の弾性接片が内側に折り曲げ作動されて開かれると共に、前記折り曲げ作動によりさらに他方の弾性接片をも同時に作動されて開かれることを特徴とする請求項２記載のＩＣソケット。
【請求項４】
前記一対の弾性接片に前記固定板と移動板が挟み込まれて配置され、前記移動板によって両弾性接片が開かれるように形成されていることを特徴とする請求項１記載のＩＣソケット。
【請求項５】
前記ＩＣパッケージが、ボール・グリッド・アレイタイプのパッケージであることを特徴とする請求項１記載のＩＣソケット。
【発明の詳細な説明】
【０００１】
【発明の属する技術分野】
本発明は、ソケット本体のコンタクトと電子部品等のパッケージであるＩＣパッケージの外部接点との開閉を行う電子部品用ソケットに関するものである。特に、本発明は、コンタクトの弾性接片がＩＣパッケージの外部接点を挟み込んで接続するように適用されるＩＣソケットに係わるものである。
【０００２】
【従来の技術】
従来、電子部品としてのＩＣパッケージ等は、ＩＣソケットのソケット本体に装着し、格子状に形成された移動板を横方向に移動して、挟み込みコンタクトを開閉してＩＣパッケージと接続するようにしたＩＣソケットが知られている。
【０００３】
従来におけるこのようなＩＣソケットにおいては、挟み込みコンタクトが固定側の弾性接片と可動側の弾性接片とをほぼ平行に延びるように配置されている。また、このＩＣソケットにおいては、固定側の弾性接片に対して可動側の弾性接片を移動板によって移動して開閉するように形成され、コンタクトによってＩＣパッケージの外部接点を挟み込んで接続するように構成されている。
【０００４】
【特許文献１】
特開２００１−２５７０４８号公報（第３頁、第１、２図）
【０００５】
【発明が解決しようとする課題】
しかしながら、このような従来のＩＣソケットにおいては、コンタクトを開放する時に、コンタクトの一方の弾性接片を、開放方向と同一方向に移動板を移動させることによってコンタクトを開くようにしている。このため、従来のＩＣソケットでは、開放時にコンタクトセンターがずれるために、ＩＣパッケージの落とし込み位置の設定を設計時、あるいは製品完成後に行わなければならない。
【０００６】
従って、本発明の目的は、このような従来における問題を解決するために、ソケットセンター、コンタクトセンター、ＩＣパッケージ落とし込みセンターを常に一定に維持することができるようにしたＩＣソケットを提供することにある。
【０００７】
【課題を解決するための手段】
上述の目的を達成するために、本発明のＩＣソケットは、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記コンタクトを保持する格子状の固定板と、前記コンタクトを開閉するために横方向に移動可能な移動板とを有し、前記コンタクトが、一対の弾性接片がほぼ平行に延びるように一端において互いに固着され、前記可動の移動板によって前記弾性接片の一方を押圧して前記コンタクトを開くことを特徴とする。
【０００８】
また、本発明のＩＣソケットは、前記コンタクトが、前記一対の弾性接片の間に前記固定板の格子状の仕切壁が配設されたことを特徴とする。
【０００９】
さらに、本発明のＩＣソケットは、前記一方の弾性接片が内側に折り曲げ作動されて開かれると共に、前記折り曲げ作動によりさらに他方の弾性接片をも同時に作動されて開かれることを特徴とする。
【００１０】
さらにまた、本発明のＩＣソケットは、前記一対の弾性接片に前記固定板と移動板が挟み込まれて配置され、前記移動板によって両弾性接片が開かれるように形成されていることを特徴とする。
【００１１】
本発明のＩＣソケットは、前記ＩＣパッケージが、ボール・グリッド・アレイタイプのパッケージであることを特徴とする。
【００１２】
本発明のその他の目的や特徴および利点は、添付図面に示される本発明のＩＣソケットの実施形態についての以下の詳細な説明から明らかである。
【００１３】
【発明の実施の形態】
（実施例）
図１乃至図３は、本発明の電子部品用ソケットとしての、例えばＩＣソケットの一実施例を示す概要説明図で、図１は、ソケットフリー状態の時の中央縦断面図、図２は、ソケットオープン状態の時の中央縦断面図で、図３は、コンタクトの作動状態を説明するための図である。また、図４は、片開きタイプのコンタクトの変位を示す説明図で、図５は、両開きタイプのコンタクトの変位を示す説明図である。
【００１４】
図１に示されるように、本発明の一実施例における電子部品用ソケットとしてのＩＣソケットは、電子部品としてのＩＣパッケージを装着して電気的接続を形成する挟み込み形のコンタクトを有するタイプのＩＣソケットである。このような本発明のＩＣソケット１は、ソケット本体２と、このソケット本体２に対して上下動可能に設けられた操作部材３とを有している。さらに、ＩＣソケット１は、ソケット本体２に基端部において固設され、装着されたＩＣパッケージ１０と電気的接続を形成する複数個の挟み込み形のコンタクト４と、ソケット本体２内に配置された格子状または櫛歯状の固定板５と、水平横方向に移動可能に設けられた格子状または櫛歯状の移動板６とを有している。
【００１５】
このような本発明のＩＣソケット１において、ソケット本体２は箱形をなしている。このような箱形のソケット本体２の底部には、挟み込み形のコンタクト４がその基端部において固設されていて、装着されたＩＣパッケージ１０の球状または半球状の外部端子１１と電気的接続を形成するように構成されている。さらにまた、ソケット本体２の上部には、１つ、または複数個のコイルスプリングのようなばね部材１３によって操作部材３が上下動可能に弾性支持されている。さらに、この操作部材３の上下動に対応して、一般におけるようにくさび機構やレバー機構、あるいはまたカム機構等によって格子状または櫛歯状の移動板６が左右に横方向に水平移動されるように連動されている。従って、移動板６の横方向の移動によって後述するようにコンタクト４が開かれるようになる。
【００１６】
このような本発明のＩＣソケット１において、コンタクト４は、一対の弾性接片７、８から成り、これら弾性接片７、８はほぼ平行に延びるように基端部において互いに固着されている。これら弾性接片７と弾性接片８との間には、固定板５の格子状または櫛歯状の仕切壁１２が位置するように配設されており、結果として弾性接片７、８が隔絶されている。また、コンタクト４の一方の弾性接片７が、中程において内側に僅かに折り曲げられていて折曲部９を有するように形成されている。従って、このコンタクト４の弾性接片７は、移動板６が水平方向に横移動する時に、移動板６の押圧部１４によって内方に押圧されるので、折曲部９において折り曲げられて、先端部が外方に開かれるようになる。
【００１７】
また、この時に、他方の弾性接片８も、弾性接片７の折曲部９によって押されて図２に示されるように外方に向って押されるので、先端部が固定板５の仕切壁１２から離れて外方に開かれるようになる。従って、弾性接片７、８の先端部は、共に外方に向って開かれて図２のようなオープン状態になり、弾性接片７、８の先端部の間の間隔が図１のＳから図２のＳｏに広がるようになる。
【００１８】
このように、本発明におけるＩＣソケット１のコンタクト４の図１のフリー状態から図２のオープン状態へのコンタクト４の開閉状態が図３に詳しく示されている。すなわち、図３には、コンタクト４のフリー状態が点線で示され、オープン状態が実線で示されている。図示されるように、コンタクト４が、点線で示されるフリー状態にある時に、移動板６が作動されて図示にて矢印で示される方向に移動する時に、移動板６の押圧部１４によってコンタクト４の弾性接片７の折曲部９が押されて折曲され、図示のように弾性変形される。この結果、折曲部９は、やがて弾性接片８の内側に当接されて、弾性接片８をさらに押圧するようになる。これらの動作によって弾性接片８は仕切壁１２から離れるようになる。
【００１９】
この時に、コンタクト４の弾性接片７は、折曲部９においてさらに一層折り曲げられると共に、先端部が、固定板５の仕切壁１２との接触部分を支点部分として外方の開く方向に移動する。従って、コンタクト４の先端部は、図３に実線で示されるように十分な間隔をもって開くようになり、フリー状態の間隔Ｓからオープン状態の間隔Ｓｏにまで広く十分に開くことができる。また、この場合に、コンタクト４の先端部は、弾性接片７、８の各先端部がほぼ等しく開かれるようになり、いずれも偏りなくほぼ均等に開くことができる。
【００２０】
このように、本発明のＩＣソケット１においては、コンタクト４は両開きタイプであり、共に等しい変位量をもって開くことができる。しかも、この実施例では、ソケットセンター、コンタクトセンター、ＩＣパッケージ落とし込みセンターが常に一定となって、従来におけるように設計時あるいは製品完成後に所要の設定を行う等の必要が無くなる。この理由により、この実施例のＩＣソケット１では、移動板６の移動手段に、くさびタイプやレバータイプ、あるいはカム機構等の一般の手段を利用することができる。
【００２１】
もしも、コンタクト４を片開きタイプにすれば、図４に示されるように、コンタクト４の一方の弾性接片７だけを変位させるようにするので、変位量に対して所要の開放量αが得られるが、コンタクト４がフリーの時のセンターＣが、開いた時にセンターＣｏとずれてしまい、製作後に設定し直すことが必要となる。
【００２２】
これに対して、本発明の如くコンタクト４が両開きタイプであれば、図５に示されるように所要の開放量αを良好に得ることができ、センターＣも何等変わることが無く、常に一定である。
【００２３】
従って、上記のように構成された本発明のＩＣソケットにおいては、ソケットセンター、コンタクトセンター、ＩＣパッケージ落とし込みセンターが常に一定となり、コンタクトの開閉操作が容易にでき、しかも、コンタクトが良好にＩＣパッケージの外部接点と接触でき、実装作業の効率を向上することが出来る。
【００２４】
【発明の効果】
以上説明したように、本発明の請求項１記載のＩＣソケットは、装着されたＩＣパッケージと電気的接続を形成する複数個の挟み込み形のコンタクトと、該コンタクトが固設されるソケット本体と、前記コンタクトを開閉する移動板とを有するＩＣソケットにおいて、前記コンタクトを保持する格子状の固定板と、前記コンタクトを開閉するために横方向に移動可能な移動板とを有し、前記コンタクトが、一対の弾性接片がほぼ平行に延びるように一端において互いに固着され、前記移動板によって前記弾性接片の一方を押圧して前記コンタクトを開くので、ソケットセンター、コンタクトセンター、ＩＣパッケージ落とし込みセンターを常に一定に維持することができる。
【００２５】
本発明の請求項２記載のＩＣソケットは、前記コンタクトが、前記一対の弾性接片の間に前記固定板の格子状の仕切壁が配設されているので、コンタクトを、共に等しい変位量をもって開くことができる。
【００２６】
本発明の請求項３記載のＩＣソケットは、前記一方の弾性接片が内側に折り曲げ作動されて開かれると共に、前記折り曲げ作動によりさらに他方の弾性接片をも同時に作動されて開かれるので、コンタクトの弾性接片が共に等しい変位量であり、好適に製作できる。
【００２７】
本発明の請求項４記載のＩＣソケットは、前記一対の弾性接片に前記固定板と移動板が挟み込まれて配置され、前記移動板によって両弾性接片が開かれるように形成されているので、コンタクトが共に等しい変位量をもって開くことができ、しかも、ソケットセンター、コンタクトセンター、ＩＣパッケージ落とし込みセンターが常に一定となって、設計時あるいは製品完成後に所要の設定を行う等の必要が全く無い。
【００２８】
本発明の請求項５記載のＩＣソケットは、前記ＩＣパッケージが、ボール・グリッド・アレイタイプのパッケージであるので、好適にソケットを製作できる。
【図面の簡単な説明】
【図１】本発明のＩＣソケットの一実施例におけるソケットフリー状態の時の中央縦断面図である。
【図２】図１の本発明のＩＣソケットのソケットオープン状態の時の中央縦断面図である。
【図３】図２のコンタクトの作動状態を説明するための図である。
【図４】片開きタイプのコンタクトの変位を示す説明図である。
【図５】両開きタイプのコンタクトの変位を示す説明図である。
【符号の説明】
１　　　ＩＣソケット
２　　　ソケット本体
３　　　操作部材
４　　　コンタクト
５　　　固定板
６　　　移動板
７　　　弾性接片
８　　　弾性接片
９　　　折曲部
１０　　ＩＣパッケージ
１１　　外部端子
１２　　仕切壁
１３　　ばね部材
１４　　押圧部
【図１】
2004103431.tif 000003
【図２】
2004103431.tif 000004
【図３】
2004103431.tif 000005
【図４】
2004103431.tif 000006
【図５】
2004103431.tif 000007